(57)【特許請求の範囲】
【請求項１】
ブラシレスＤＣモータに内蔵された駆動回路であり、
前記駆動回路はロジック回路とスイッチング回路とを有し、
前記ロジック回路により制御される前記スイッチング回路からの駆動電流をモータ巻線に流すことにより、前記ブラシレスＤＣモータをＰＷＭ制御により回転させるブラシレスＤＣモータの駆動回路において、
前記スイッチング回路に設けられた駆動電流のための電流制限用検出抵抗の電圧を、負荷電流の状態を表す信号として、前記駆動回路から外部の電源回路へ出力する
ことを特徴とするブラシレスＤＣモータの駆動回路。
【請求項２】
ブラシレスＤＣモータに内蔵された駆動回路であり、
前記駆動回路はロジック回路とスイッチング回路とを有し、
前記ロジック回路により制御される前記スイッチング回路からの駆動電流をモータ巻線に流すことにより、前記ブラシレスＤＣモータをＰＷＭ制御により回転させるブラシレスＤＣモータの駆動回路において、
前記駆動回路のＧＮＤラインに負荷検出抵抗を配し、この負荷検出抵抗の電圧を、負荷電流の状態を表す信号として、前記駆動回路から外部の電源回路へ出力する
ことを特徴とするブラシレスＤＣモータの駆動回路。
【請求項３】
ブラシレスＤＣモータに内蔵された駆動回路であり、
前記駆動回路はロジック回路とスイッチング回路とを有し、
前記ロジック回路により制御される前記スイッチング回路からの駆動電流をモータ巻線に流すことにより、前記ブラシレスＤＣモータをＰＷＭ制御により回転させるブラシレスＤＣモータの駆動回路において、
前記駆動回路のＧＮＤラインとは電気的に分離したラインに、負荷検出抵抗を配し、この負荷検出抵抗の電圧を、負荷電流の状態を表す信号として、前記駆動回路から外部の電源回路へ出力する
ことを特徴とするブラシレスＤＣモータの駆動回路。
【発明の詳細な説明】
【０００１】
【発明の属する技術分野】
本発明は、瞬間湯沸器等の燃焼用ファン等に用いられるＰＷＭ制御用のブラシレスＤＣモータの駆動回路に関するものである。
【０００２】
【従来の技術】
瞬間湯沸器などの燃焼用ファンに用いられるＰＷＭ制御用のブラシレスＤＣモータ（以下、単にモータという）を制御する方法として、モータの回転速度とモータの負荷電流によってモータを制御し、その燃焼状態を制御していた。
【０００３】
その方法としては、モータの回転パルス出力と、モータの外側に取り付けられた電源回路のＧＮＤラインに抵抗を接続することによって、モータの駆動電流を検出する等の方法であった。
【０００４】
【発明が解決しようとする課題】
しかしながら、上記の方法では次のような問題点があった。
【０００５】
まず第１の点は、モータに内蔵された駆動回路がショートして破壊された場合、もしくは、モータが故障した場合に、外部の電源回路の負荷検出抵抗も同時に破壊されてしまうという問題点があった。
【０００６】
そのため、これを修理するためには、モータを取り替えるだけでなく、電源回路の負荷検出抵抗も同時に取り替える必要があった。
【０００７】
第２の点は、ＰＷＭ制御用のモータの電源は、通常、制御電源、モータのパワー電源、速度指令電圧が必要であり、ＧＮＤラインは共通となっている。そのＧＮＤラインに電源回路側で抵抗を接続する場合に、モータの負荷電流で抵抗の両端に電圧が発生し、モータのパワー電源の各電圧が変動してしまうという問題点があった。
【０００８】
そこで、本発明は、モータの駆動回路がショートし、または、破壊された場合であっても、モータを交換するだけでよく、また、負荷電流による各電源の変動が発生しないブラシレスＤＣモータの駆動回路を提供するものである。
【０００９】
【課題を解決するための手段】
請求項１のブラシレスＤＣモータの駆動回路は、ブラシレスＤＣモータに内蔵された駆動回路であり、前記駆動回路はロジック回路とスイッチング回路とを有し、前記ロジック回路により制御される前記スイッチング回路からの駆動電流をモータ巻線に流すことにより、前記ブラシレスＤＣモータをＰＷＭ制御により回転させるブラシレスＤＣモータの駆動回路において、前記スイッチング回路に設けられた駆動電流のための電流制限用検出抵抗の電圧を、負荷電流の状態を表す信号として、前記駆動回路から外部の電源回路へ出力するものである。
【００１０】
請求項２のブラシレスＤＣモータの駆動回路は、ブラシレスＤＣモータに内蔵された駆動回路であり、前記駆動回路はロジック回路とスイッチング回路とを有し、前記ロジック回路により制御される前記スイッチング回路からの駆動電流をモータ巻線に流すことにより、前記ブラシレスＤＣモータをＰＷＭ制御により回転させるブラシレスＤＣモータの駆動回路において、前記駆動回路のＧＮＤラインに負荷検出抵抗を配し、この負荷検出抵抗の電圧を、負荷電流の状態を表す信号として、前記駆動回路から外部の電源回路へ出力するものである。
【００１１】
請求項３のブラシレスＤＣモータの駆動回路は、ブラシレスＤＣモータに内蔵された駆動回路であり、前記駆動回路はロジック回路とスイッチング回路とを有し、前記ロジック回路により制御される前記スイッチング回路からの駆動電流をモータ巻線に流すことにより、前記ブラシレスＤＣモータをＰＷＭ制御により回転させるブラシレスＤＣモータの駆動回路において、前記駆動回路のＧＮＤラインとは電気的に分離したラインに、負荷検出抵抗を配し、この負荷検出抵抗の電圧を、負荷電流の状態を表す信号として、前記駆動回路から外部の電源回路へ出力するものである。
【００１２】
請求項１のブラシレスＤＣモータの駆動回路であると、駆動回路の外側に新たな抵抗を追加することなく、負荷電流を検出することができるため、部品点数の削減につながる。
【００１３】
請求項２のブラシレスＤＣモータの駆動回路であると、駆動回路の外側に新たな抵抗を設ける必要がなく、また、負荷検出抵抗の抵抗値を駆動回路にある電流制限回路の定数に関係なく設定することができる。
【００１４】
請求項３のブラシレスＤＣモータの駆動回路であると、各電源のモータ状態に伴う駆動電流による制御用電源の電圧変動が無くなり、制御性、信頼性のよいモータ制御が可能となる。また、負荷検出抵抗には制御用電源の電流が流れなくなるため、モータの負荷状態を正確に検出することができる。
【００１５】
【発明の実施の形態】
（実施例１）
本発明の実施例１を図１に基づいて説明する。
【００１６】
図１はブラシレスＤＣモータ（以下、単にモータという）に内蔵された駆動回路１０の回路図である。なお、この駆動回路１０は、１枚の基板の上に構成され、モータ１０がモールドされる場合に同時にこの駆動回路１０の基板もモールドして、モータに内蔵するものである。
【００１７】
図１に示すように、駆動回路１０は、ロジック回路１２とスイッチング回路１４とよりなり、スイッチング回路１４にはモータのモータ巻線１６が接続されている。また、ロジック回路１２には、モータの回転子の外周近傍に設けられたホールＩＣＨ１、Ｈ２、Ｈ３が接続されている。
【００１８】
ロジック回路１２には、制御用電源Ｖccと、速度指令電圧Ｖspが入力し、また、回転パルスFGが出力されている。さらに、ロジック回路１２からはＧＮＤラインが設けられている。
【００１９】
スイッチング回路１４は、６個のトランジスタＴｒ１〜Ｔｒ６を３個ずつ２段に分けたものであり、ロジック回路１２からの出力によりＯＮ／ＯＦＦされる。
【００２０】
そして、この６個のトランジスタＴｒ１〜Ｔｒ６を順番にＯＮ／ＯＦＦすることにより、駆動電流がダイオードＤ１〜Ｄ６を経てモータ巻線１６に流れ、モータをＰＷＭ制御によって回転させるものである。
【００２１】
そして、スイッチング回路１４には、パワー電源Ｖｍが接続されている。
【００２２】
スイッチング回路１４の下の段のライン１８には、電流制限用検出抵抗（以下、電検抵抗という）Ｒ１の一端が接続され、この電検抵抗Ｒ１の他端は接地されている。また、この下段のライン１８は、ロジック回路１２内部に設けられた電流制限部２０に接続され、さらに、下段のライン１８は、負荷状態の出力を示す出力端子２２に接続されている。なお、電流制限部２０は電検抵抗Ｒ１の電圧によって、モータ巻線１６に流れる駆動電流の値を検知し、予め定められた電圧値以上であればＯＮ−ｄｕｔｙを行い、電圧を低下させるものである。これによって、駆動電流が一定値以上には上がらないように制限される。
【００２３】
ところで、本実施例の特徴は、上記したように下段のライン１８を負荷状態を示す出力端子２２に接続していることにある。すなわち、電検抵抗Ｒ１の電圧をモータの負荷電流を表す信号として出力端子２２から出力していることにある。
【００２４】
このような構成にすることにより、駆動回路１０の外側に新たに負荷検出抵抗を追加することなく負荷電流を検出することができるため、部品点数の削減につながる。また、モータが破壊された場合であっても、モータを取り替えることにより負荷電流を検出することができる。
【００２５】
（実施例２）
本実施例と実施例１の異なる点は、下段のライン１８を負荷状態を表す出力端子２２に接続するのでなく、ＧＮＤラインに負荷検出抵抗Ｒ２を配し、この負荷検出抵抗Ｒ２から分岐されたライン１９を負荷状態を表す出力端子２２に接続している。
【００２６】
この構成であると、ＧＮＤラインに設けられた負荷検出抵抗Ｒ２の電圧を検知することにより、モータの負荷状態を検出できると共に、負荷検出抵抗Ｒ２の抵抗値を電流制限部２０に接続される電検抵抗Ｒ１の抵抗値に関係なく設定することができる。
【００２７】
（実施例３）
本実施例と実施例１との異なる点は、電検抵抗Ｒ１と直列に負荷検出抵抗Ｒ３を接続し、この負荷検出抵抗Ｒ３と電検抵抗Ｒ１との間から伸びたライン２１を出力端子２２に接続しているものである。
【００２８】
この構成であると、負荷検出抵抗Ｒ３の電圧を検出することによりモータの負荷電流、すなわち、負荷状態を検出することができ、各電源のモータ状態に伴う駆動電流による制御用電源Ｖccの電圧変動がなくなり、制御性、信頼性のよいモータ制御が可能となる。また、負荷検出抵抗Ｒ３には制御用電源Ｖccの電流が流れなくなるため、モータの負荷状態を正確に検出することができる。
【００２９】
（実施例４）
本実施例と実施例３の異なる点は、電検抵抗Ｒ１と負荷検出抵抗Ｒ３の接続の順番を交換したものであり、実施例３では電検抵抗Ｒ１、負荷検出抵抗Ｒ３の順番に接続したが、本実施例では負荷検出抵抗Ｒ３、電検抵抗Ｒ１の順番に接続したものである。
【００３０】
本実施例でも実施例３と同様の効果を得ることができる。
【００３１】
【発明の効果】
以上により、本発明のブラシレスＤＣモータの駆動回路であると、ブラシレスＤＣモータが破壊されたり、駆動回路がショートした場合でも、モータを交換するだけですみ、負荷電流検出用の抵抗を新たにモータとは別途にして交換する必要がない。
【００３２】
また、負荷電流による各電源の変動が発生しないという効果もある。
【図面の簡単な説明】
【図１】本発明の実施例１の駆動回路の回路図である。
【図２】実施例２の駆動回路の回路図である。
【図３】実施例３の駆動回路の回路図である。
【図４】実施例４の駆動回路の回路図である。
【符号の説明】
１０  駆動回路
１２  ロジック回路
１４  スイッチング回路
１６  モータ巻線
１８  下段のライン
２０  電流制限部
２２  出力端子
Ｒ１  電検抵抗
Ｒ２  負荷検出抵抗
Ｒ３  負荷検出抵抗
【図１】
0004469032.tif 000002
【図２】
0004469032.tif 000003
【図３】
0004469032.tif 000004
【図４】
0004469032.tif 000005